(57)【特許請求の範囲】
【請求項１】
自動運転で走行する自車両の経路を選択する自動運転車両用ナビゲーション装置であって、
前記自車両の位置を推定する位置推定部と、
前記自車両の目的地を設定する目的地設定部と、
前記位置推定部により推定された前記位置と、前記目的地設定部により設定された前記目的地とに基づいて、前記自車両が走行するための経路を探索する経路探索部と、
前記経路探索部により探索された前記経路における前記自動運転の継続度を演算する継続度演算部と、
前記継続度演算部により演算された前記継続度に基づいて、前記経路探索部により探索された前記経路から、前記自車両が走行する前記経路を選択する経路選択部と、
を備え、
前記継続度演算部は、前記経路探索部により探索された前記経路における前記自動運転の継続が困難となり得る不動作地点の密集度が高いほど、大きい前記継続度を演算し、
前記経路選択部は、前記経路探索部により探索された前記経路から、前記継続度演算部により演算された前記継続度が最も大きい前記経路を前記自車両が走行する前記経路として選択する、自動運転車両用ナビゲーション装置。
【請求項２】
前記継続度演算部により演算された前記経路における前記継続度を前記自車両の乗員に表示する継続度表示部と、
前記自車両の乗員からの指令を入力される入力部と、
をさらに備え、
前記経路選択部は、前記入力部に入力された前記指令に基づいて、前記経路探索部により探索された前記経路から、前記自車両が走行する前記経路を選択する、請求項１に記載の自動運転車両用ナビゲーション装置。
【発明の詳細な説明】
【技術分野】
【０００１】
本発明は、自動運転車両用ナビゲーション装置に関する。
【背景技術】
【０００２】
従来、自車両が走行するための複数の経路を探索し、複数の経路から自車両が走行する経路を選択するナビゲーション装置が知られている。例えば、特許文献１には、消費電力が最小となる経路を選択する電気自動車のナビゲーション装置が開示されている。
【先行技術文献】
【特許文献】
【０００３】
【特許文献１】特開２０１３−２５３９５６号公報
【発明の概要】
【発明が解決しようとする課題】
【０００４】
ところで、近年、自動運転により自車両を走行させる技術が提案されている。自動運転により自車両を継続して走行させることが可能か否かは、経路の状況等によって異なる。しかし、上記従来技術では、自動運転が継続する度合は、経路が選択されるための条件には含まれていない。
【０００５】
そこで本発明は、自動運転が継続する度合を経路が選択されるための条件に含めつつ、自動運転で走行する自車両の経路を選択することができる自動運転車両用ナビゲーション装置を提供することを課題とする。
【課題を解決するための手段】
【０００６】
本発明の一側面は、自動運転で走行する自車両の経路を選択する自動運転車両用ナビゲーション装置であって、自車両の位置を推定する位置推定部と、自車両の目的地を設定する目的地設定部と、位置推定部により推定された位置と、目的地設定部により設定された目的地とに基づいて、自車両が走行するための経路を探索する経路探索部と、経路探索部により探索された経路における自動運転の継続度を演算する継続度演算部と、継続度演算部により演算された継続度に基づいて、経路探索部により探索された経路から、自車両が走行する経路を選択する経路選択部とを備えた自動運転車両用ナビゲーション装置である。
【０００７】
この構成によれば、継続度演算部により、経路探索部により探索された経路における自動運転の継続度が演算される。また、経路選択部により、自動運転の継続度に基づいて、経路探索部により探索された経路から、自車両が走行する経路が選択される。このため、自動運転が継続する度合を経路が選択されるための条件に含めつつ、自動運転で走行する自車両の経路を選択することができる。
【０００８】
この場合、継続度演算部は、経路探索部により探索された経路における自動運転の継続が困難となり得る不動作地点の密集度に基づいて、継続度を演算してもよい。
【０００９】
自動運転の継続が困難となり得る不動作地点では、自動運転から自車両の運転者による手動運転に切り替えられる。そのため、不動作地点の密集度は、運転者が手動運転を行う時間が連続的であるか間欠的であるかに直接に影響する。上記構成によれば、継続度演算部により、経路探索部により探索された経路における自動運転の継続が困難となり得る不動作地点の密集度に基づいて継続度が演算される。このため、運転者が手動運転を行う時間が連続的であるか間欠的であるかに直接に影響する不動作地点の密集度を経路が選択されるための条件に含めつつ、自動運転で走行する自車両の経路を選択することができる。
【００１０】
また、継続度演算部により演算された経路における継続度を自車両の乗員に表示する継続度表示部と、自車両の乗員からの指令を入力される入力部とをさらに備え、経路選択部は、入力部に入力された指令に基づいて、経路探索部により探索された経路から、自車両が走行する経路を選択してもよい。
【００１１】
この構成によれば、継続度表示部により、継続度演算部により演算された経路における継続度が自車両の乗員に表示され、入力部は自車両の乗員からの指令を入力される。これにより、乗員は、継続度を考慮に入れつつ、指令を入力することができる。また、経路選択部により、入力部に入力された指令に基づいて、経路探索部により探索された経路から、自車両が走行する経路が選択される。これにより、継続度を考慮に入れた乗員の指令を経路が選択されるための条件に含めつつ、自動運転で走行する自車両の経路を選択することができる。
【発明の効果】
【００１２】
本発明の一側面によれば、自動運転が継続する度合を経路が選択されるための条件に含めつつ、自動運転で走行する自車両の経路を選択することができる。
【図面の簡単な説明】
【００１３】
【図１】第１実施形態に係る自動運転車両用ナビゲーション装置の構成を示すブロック図である。
【図２】図１の自動運転車両用ナビゲーション装置の動作を示すフローチャートである。
【図３】図１の自動運転車両用ナビゲーション装置により継続度が演算される経路の例を示す図である。
【図４】図１の自動運転車両用ナビゲーション装置により継続度が演算される経路の例を示す図である。
【図５】図１の自動運転車両用ナビゲーション装置により継続度が演算される経路の例を示す図である。
【図６】第２実施形態に係る自動運転車両用ナビゲーション装置の構成を示すブロック図である。
【図７】図６の自動運転車両用ナビゲーション装置により継続度が演算される経路の例を示す図である。
【図８】第３実施形態に係る自動運転車両用ナビゲーション装置の構成を示すブロック図である。
【図９】図８の自動運転車両用ナビゲーション装置の動作を示すフローチャートである。
【図１０】第４実施形態に係る自動運転車両用ナビゲーション装置の構成を示すブロック図である。
【図１１】第５実施形態に係る自動運転車両用ナビゲーション装置の構成を示すブロック図である。
【図１２】第６実施形態に係る自動運転車両用ナビゲーション装置の構成を示すブロック図である。
【発明を実施するための形態】
【００１４】
以下、本発明の実施形態について図面を用いて詳細に説明する。
【００１５】
［第１実施形態］
図１に示すように、第１実施形態の自動運転車両用ナビゲーション装置１００ａは、乗用車等の自車両Ｖに搭載される。自動運転車両用ナビゲーション装置１００ａは、自車両Ｖを自動運転により走行させる。自動運転とは、自車両Ｖの操舵操作及び加減速操作等の運転操作が自車両Ｖの運転者の手動運転操作によらずに制御されることを意味する。自動運転には、例えば、自車両Ｖの操舵操作及び加減速操作等のいずれかの運転操作のみが自動運転の自動運転操作によって行われ、それ以外の運転操作が自車両Ｖの運転者の手動運転操作によって行われる運転状態を含む。自動運転車両用ナビゲーション装置１００ａは、自車両Ｖの運転者による切替要求に応じて、自車両Ｖの運転状態を、手動運転から自動運転に切り替え可能であり、自動運転から手動運転に切り替え可能である。自動運転車両用ナビゲーション装置１００ａは、自動運転で走行する自車両Ｖの経路を選択する。
【００１６】
図１に示すように、自動運転車両用ナビゲーション装置１００ａは、外部センサ１、ＧＰＳ［Global Positioning System］受信部２、内部センサ３、地図データベース４、ナビゲーションシステム５、アクチュエータ６、ＨＭＩ［Human Machine Interface］７、ＥＣＵ［ElectronicControl Unit］１０ａ及び補助機器Ｕを備えている。
【００１７】
外部センサ１は、自車両Ｖの周辺情報である外部状況を検出する検出機器である。外部センサ１は、カメラ、レーダー［Radar］、及びライダー［LIDAR：LaserImaging Detection and Ranging］のうち少なくとも一つを含む。カメラは、自車両Ｖの外部状況を撮像する撮像機器である。
【００１８】
カメラは、例えば、自車両Ｖのフロントガラスの裏側に設けられている。カメラは、自車両Ｖの外部状況に関する撮像情報をＥＣＵ１０ａへ送信する。カメラは、単眼カメラであってもよく、ステレオカメラであってもよい。ステレオカメラは、両眼視差を再現するように配置された二つの撮像部を有している。ステレオカメラの撮像情報には、奥行き方向の情報も含まれている。
【００１９】
レーダーは、電波（例えばミリ波）を利用して自車両Ｖの外部の障害物を検出する。レーダーは、電波を自車両Ｖの周囲に送信し、障害物で反射された電波を受信することで障害物を検出する。レーダーは、検出した障害物情報をＥＣＵ１０ａへ送信する。ライダーは、光を利用して自車両Ｖの外部の障害物を検出する。なお、センサーフュージョンを行う場合には、電波の受信情報をＥＣＵ１０ａへ送信することが好ましい。
【００２０】
ライダーは、光を利用して自車両Ｖの外部の障害物を検出する。ライダーは、光を自車両Ｖの周囲に送信し、障害物で反射された光を受信することで反射点までの距離を計測し、障害物を検出する。ライダーは、検出した障害物情報をＥＣＵ１０ａへ送信する。なお、センサーフュージョンを行う場合には、反射された光の受信情報をＥＣＵ１０ａへ送信することが好ましい。カメラ、ライダー及びレーダーは、必ずしも重複して備える必要はない。
【００２１】
ＧＰＳ受信部２は、３個以上のＧＰＳ衛星から信号を受信することにより、自車両Ｖの位置（例えば自車両Ｖの緯度及び経度）を測定する。ＧＰＳ受信部２は、測定した自車両Ｖの位置情報をＥＣＵ１０ａへ送信する。なお、ＧＰＳ受信部２に代えて、自車両Ｖの緯度及び経度が特定できる他の手段を用いてもよい。また、自車両Ｖの方位を測定する機能を持たせることは、センサの測定結果と後述する地図情報との照合のために好ましい。
【００２２】
内部センサ３は、自車両Ｖの走行状態を検出する検出機器である。内部センサ３は、車速センサ、加速度センサ、及びヨーレートセンサのうち少なくとも一つを含む。車速センサは、自車両Ｖの速度を検出する検出器である。車速センサとしては、例えば、自車両Ｖの車輪又は車輪と一体に回転するドライブシャフト等に対して設けられ、車輪の回転速度を検出する車輪速センサが用いられる。車速センサは、検出した車速情報（車輪速情報）をＥＣＵ１０ａに送信する。
【００２３】
加速度センサは、自車両Ｖの加速度を検出する検出器である。加速度センサは、例えば、自車両Ｖの前後方向の加速度を検出する前後加速度センサと、自車両Ｖの横加速度を検出する横加速度センサとを含んでいる。加速度センサは、例えば、自車両Ｖの加速度情報をＥＣＵ１０ａに送信する。ヨーレートセンサは、自車両Ｖの重心の鉛直軸周りのヨーレート（回転角速度）を検出する検出器である。ヨーレートセンサとしては、例えばジャイロセンサを用いることができる。ヨーレートセンサは、検出した自車両Ｖのヨーレート情報をＥＣＵ１０ａへ送信する。
【００２４】
地図データベース４は、地図情報を備えたデータベースである。地図データベースは、例えば、自車両Ｖに搭載されたＨＤＤ［Hard disk drive］内に形成されている。地図情報には、例えば、道路の位置情報、道路形状の情報（例えばカーブ、直線部の種別、カーブの曲率等）、交差点及び分岐点の位置情報が含まれる。また、地図情報には、後述するように、自車両Ｖが走行するための経路に関する情報や、自動運転の継続が困難となり得る不動作地点に関する情報が含まれる。また、地図情報には、道路料金、一般道路又は高速道路等の道路種別に関する情報が含まれていてもよい。さらに、自動運転車両用ナビゲーション装置１００ａが建物又は壁などの遮蔽構造物の位置情報、又はＳＬＡＭ（Simultaneous Localization and Mapping）技術を使用する場合には、地図情報に外部センサ１の出力信号を含ませてもよい。なお、地図データベース４は、自車両Ｖと通信可能な情報処理センターなどの施設のコンピュータに記憶されていてもよい。
【００２５】
ナビゲーションシステム５は、自車両Ｖが手動運転により走行する場合に、自車両Ｖの乗員（運転者を含む）によって設定された目的地まで、自車両Ｖの運転者に対して案内を行う装置である。ナビゲーションシステム５は、ＧＰＳ受信部２の測定した自車両Ｖの位置情報と地図データベース４の地図情報とに基づいて、自車両Ｖの走行するルートを算出する。ルートは、複数車線の区間において好適な車線を特定したものであってもよい。ナビゲーションシステム５は、例えば、自車両Ｖの位置から目的地に至るまでの目標ルートを演算し、ディスプレイの表示及びスピーカの音声出力により運転者に対して目標ルートの報知を行う。ナビゲーションシステム５は、例えば、自車両Ｖの目標ルートの情報をＥＣＵ１０ａへ送信する。なお、ナビゲーションシステム５は、自車両Ｖと通信可能な情報処理センター等の施設のコンピュータに記憶されていてもよい。また、ナビゲーションシステム５は、ＥＣＵ１０ａが有する自動運転で走行する自車両Ｖの経路を選択する構成と合せて、ＥＣＵ１０ａに内蔵されていてもよい。
【００２６】
アクチュエータ６は、自車両Ｖの走行制御を実行する装置である。アクチュエータ６は、スロットルアクチュエータ、ブレーキアクチュエータ、及び操舵アクチュエータを少なくとも含む。スロットルアクチュエータは、ＥＣＵ１０ａからの制御信号に応じてエンジンに対する空気の供給量（スロットル開度）を制御し、自車両Ｖの駆動力を制御する。なお、自車両Ｖがハイブリッド車又は電気自動車である場合には、スロットルアクチュエータを含まず、動力源としてのモータにＥＣＵ１０ａからの制御信号が入力されて当該駆動力が制御される。
【００２７】
ブレーキアクチュエータは、ＥＣＵ１０ａからの制御信号に応じてブレーキシステムを制御し、自車両Ｖの車輪へ付与する制動力を制御する。ブレーキシステムとしては、例えば、液圧ブレーキシステムを用いることができる。操舵アクチュエータは、電動パワーステアリングシステムのうち操舵トルクを制御するアシストモータの駆動を、ＥＣＵ１０ａからの制御信号に応じて制御する。これにより、操舵アクチュエータは、自車両Ｖの操舵トルクを制御する。
【００２８】
ＨＭＩ７は、自車両Ｖの乗員と自動運転車両用ナビゲーション装置１００ａとの間で情報の出力及び入力をするためのインターフェイスである。ＨＭＩ７は、例えば、乗員に画像情報を表示するためのディスプレイパネル、音声出力のためのスピーカ、乗員が入力操作を行うための操作ボタン又はタッチパネル、及び乗員が音声入力をするためのマイクロフォンを備えている。ＨＭＩ７は、乗員により、目的地を設定するための指令が入力される。また、ＨＭＩ７は、乗員により、自動走行の作動又は停止に係る指令が入力される。ＨＭＩ７は、無線で接続された携帯情報端末を利用して、乗員に対する情報の出力を行ってもよく、携帯情報端末を利用して乗員による入力操作を受け付けてもよい。ＨＭＩ７は、ＥＣＵ１０ａを介さずに、補助機器Ｕを乗員の操作に基づき直接的に制御してもよい。
【００２９】
補助機器Ｕは、通常、自車両Ｖの運転者によって操作され得る機器である。補助機器Ｕは、アクチュエータ６に含まれない機器を総称したものである。ここでの補助機器Ｕは、例えば方向指示灯、前照灯、ワイパー等を含む。
【００３０】
ＥＣＵ１０ａは、自動運転車両用ナビゲーション装置１００ａの動作を制御する。ＥＣＵ１０ａは、ＣＰＵ[CentralProcessing Unit]、ＲＯＭ[Read Only Memory]、ＲＡＭ[Random Access Memory]等を有する電子制御ユニットである。ＥＣＵ１０ａでは、ＲＯＭに記憶されているプログラムをＲＡＭにロードし、ＣＰＵで実行することで、各種の制御を実行する。ＥＣＵ１０ａは、複数の電子制御ユニットから構成されていてもよい。ＥＣＵ１０ａは、位置推定部１１、目的地設定部１２、経路探索部１３、継続度演算部１４ａ、経路選択部１７、走行計画生成部１８及び制御部１９を有している。
【００３１】
位置推定部１１は、ＧＰＳ受信部２で受信した自車両Ｖの位置情報及び地図データベース４の地図情報に基づいて、地図上における自車両Ｖの位置を推定する。なお、位置推定部１１は、道路等の外部に設置されたセンサで自車両Ｖの位置が測定され得る場合は、当該センサの測定結果を無線通信により受信することで、自車両Ｖの位置を推定してもよい。
【００３２】
目的地設定部１２は、自車両Ｖの乗員によりＨＭＩ７に対して入力された指令に基づいて、自車両Ｖの目的地を設定する。目的地設定部１２は、自車両Ｖの現在地から最終的な目的地に至るまでの単数又は複数の中継点を目的地として設定してもよい。
【００３３】
経路探索部１３は、位置推定部１１により推定された自車両Ｖの位置と、目的地設定部１２により設定された目的地とに基づいて、自車両Ｖが走行するための単数又は複数の経路を探索する。例えば、経路探索部１３は、自車両Ｖが自動運転で走行するための単数の経路を探索してもよい。また、例えば、経路探索部１３が探索する複数の経路の全てが、自車両Ｖが自動運転で走行するための経路でもよい。また、例えば、経路探索部１３が探索する複数の経路の一部が、自車両Ｖが自動運転で走行するための単数又は複数の経路であり、その他の経路が、自車両が手動運転で走行するための単数又は複数の経路であってもよい。
【００３４】
継続度演算部１４ａは、経路探索部１３により探索された経路における自動運転の継続度を演算する。継続度とは、自車両Ｖが走行するための経路において、自動運転により自車両Ｖを継続して走行させることが可能な度合を意味する。継続度を演算する方法の詳細については、後述する。
【００３５】
経路選択部１７は、継続度演算部１４ａにより演算された継続度に基づいて、経路探索部１３により探索された経路から、自車両Ｖが走行する経路を選択する。経路を選択する方法の詳細については、後述する。
【００３６】
走行計画生成部１８は、経路選択部１７で選択された経路、外部センサ１により認識された自車両Ｖ周囲の障害物に関する情報、及び地図データベース４から取得された地図情報に基づいて、自車両Ｖの走行計画を生成する。走行計画は、自車両Ｖが走行する経路において自車両Ｖが進む軌跡である。走行計画には、例えば、各時刻における自車両Ｖの速度、加速度、減速度、方向及び舵角等が含まれる。走行計画生成部１８は、経路上において自車両Ｖが安全、法令順守、走行効率などの基準を満たした走行をするような走行計画を生成する。さらに、走行計画生成部１８は、自車両Ｖ周囲の障害物の状況に基づき、障害物との接触を回避するように自車両Ｖの走行計画を生成する。
【００３７】
制御部１９は、走行計画生成部１８で生成した走行計画に基づいて、自車両Ｖの自動運転による走行を制御する。制御部１９は、走行計画に応じた制御信号をアクチュエータ６に出力する。これにより、制御部１９は、走行計画に沿って自車両Ｖの自動運転が実行されるように、自車両Ｖの走行を制御する。
【００３８】
次に、自動運転車両用ナビゲーション装置１００ａで実行される処理について、図２のフローチャートを参照しつつ具体的に説明する。図２に示すように、位置推定工程として、ＥＣＵ１０ａの位置推定部１１は、ＧＰＳ受信部２で受信した自車両Ｖの位置情報及び地図データベース４の地図情報に基づいて、地図上における自車両Ｖの位置を推定する（Ｓ１１）。目的地設定工程として、ＥＣＵ１０ａの目的地設定部１２は、自車両Ｖの乗員によりＨＭＩ７に対して入力された指令に基づいて、自車両Ｖの目的地を設定する（Ｓ１２）。経路探索工程として、ＥＣＵ１０ａの経路探索部１３は、位置推定部１１により推定された自車両Ｖの位置と、目的地設定部１２により設定された目的地とに基づいて、自車両Ｖが走行するための単数又は複数の経路を探索する（Ｓ１３）。
【００３９】
継続度演算工程として、ＥＣＵ１０ａの継続度演算部１４ａは、経路探索部１３により探索された経路における自動運転の継続度を演算する（Ｓ１４）。以下、継続度の演算について詳述する。
【００４０】
継続度演算部１４ａは、地図データベース４を参照しつつ、経路探索工程で経路探索部１３により探索された経路における自動運転の不動作地点を抽出する。不動作地点とは、自動運転の継続が困難となり得る地点を意味する。不動作地点には、自動運転の継続が予め定められた確率以上で不可能となる地点以外にも、自動運転の継続が予め定められた確率以上で困難となる地点が含まれる。自動運転の継続が予め定められた確率以上で困難となる地点には、自動運転は継続されていても、閾値以上の操舵角の操舵による自車両Ｖのふらつきや、閾値以上の減速度の減速等によって、予め定められた確率以上で自車両Ｖの挙動が不安点となる地点が含まれる。不動作地点には、例えば、閾値以上の曲率のカーブ（急カーブ）、交差点（円形交差点（ラウンドアバウト）を含む）、合流、分岐、車線減少、車線増加及び閾値以上の横断勾配（急カント）が含まれる。本実施形態では、継続度演算部１４ａは、上述した種類の不動作地点の少なくとも一つを用いて継続度を演算する。地図データベース４には、以下に示すような継続度を演算するための経路及び不動作地点に関する情報が予め記憶されている。継続度演算部１４ａは、地図データベース４に記憶されている情報を参照しつつ、以下に示すようにして継続度を演算する。
【００４１】
例として図３に示すような経路I及び経路IIを想定する。地図データベース４には、自車両Ｖが走行するための経路及び不動作地点に関する情報として、経路上の不動作地点の数が予め記憶されている。図３に示すように、経路Ｉの総走行距雛は１２０ｋｍである。経路Iには、インターチェンジで分岐と合流とがそれぞれ１地点存在し、急カーブが１地点存在し、不動作地点が合計で３地点存在する。経路IIの総走行距離は１００ｋｍであり、経路Iよりも短い。しかし、経路IIには、サービスエリアで分岐と合流とがそれぞれ１地点存在し、登坂車線において車線増加と車線減少がそれぞれ１地点存在し、急カーブが１地点存在し、不動作地点が合計５地点存在する。継続度演算部１４ａは、地図データベース４に記憶された経路上の不動作地点の地点数Ｎ１を参照しつつ、地点数Ｎ１の逆数として継続度を演算する。すなわち、継続度は下式（１）で表すことができる。例えば、下式（１）により継続度した場合は、経路Iよりも経路IIの方が総走行距離は短いが、継続度は経路IIよりも経路Iの方が大きくなる。
継続度＝１／Ｎ１  …（１）
【００４２】
また、不動作地点の地点数Ｎ１は、不動作地点のそれぞれにおける自動運転の継続が困難となる確率で重み付けをしてもよい。この場合、地図データベース４には、自車両Ｖが走行するための経路及び不動作地点に関する情報として、経路上の不動作地点ごとの自動運転の継続が困難となる確率が記憶されている。例えば、合流における自動運転の継続が困難となる確率が３０％であれば、継続度演算部１４ａは、地図データベース４に記憶された合流における自動運転の継続が困難となる確率３０％を参照しつつ、合流の地点の数に０．３を乗じる。継続度演算部１４ａは、不動作地点のそれぞれの自動運転の継続が困難となる確率の総和を不動作地点の地点数Ｎ２とし、当該不動作地点の地点数Ｎ２の逆数として継続度を演算してもよい。すなわち、例えば、急カーブ、交差点、合流、分岐、車線減少、車線増加及び急カントのそれぞれにおける自動運転の継続が困難となる確率をｍ，ｎ，ｏ，ｐ，ｑ，ｒ，ｓとした場合、継続度は下式（２）で表すことができる。この場合、地図データベース４には、経路上の不動作地点の急カーブ等の種別、及び経路上の不動作地点の種別ごとの自動運転の継続が困難となる確率ｍ〜ｓ等が記憶されている。継続度演算部１４ａは、地図データベース４を参照しつつ、下式（２）により継続度を演算することができる。
継続度＝１／Ｎ２
＝１／［（急カーブの地点数）×ｍ＋（交差点の地点数）×ｎ＋（合流の地点数）×ｏ＋（分岐の地点数）×ｐ＋（車線減少の地点数）×ｑ＋（車線増加の地点数）×ｒ＋（急カントの地点数）×ｓ］  …（２）
【００４３】
また、継続度演算部１４ａは、不動作地点の地点数Ｎ１又は地点数Ｎ２で、経路の総走行距離を除することにより、継続度を演算してもよい。不動作地点の地点数Ｎ１，Ｎ２について、継続度は下式（３）及び下式（４）で表すことができる。下式（３）の分母の［Ｎ１／（総走行距離）］及び下式（４）の分母の［Ｎ２／（総走行距離）］は、単位距離当たりの不動作地点の地点数を表している。この場合、地図データベース４には、自車両Ｖが走行するための経路及び不動作地点に関する情報として、上述した地点数Ｎ１又は地点数Ｎ２を演算するために必要な情報に加えて、経路上の自車両Ｖの総走行距離が記憶されている。継続度演算部１４ａは、地図データベース４を参照しつつ、下式（３）又は下式（４）により継続度を演算することができる。
継続度＝１／［Ｎ１／（総走行距離）］  …（３）
継続度＝１／［Ｎ２／（総走行距離）］  …（４）
【００４４】
次に図４に示すような経路IIIを想定する。図４に示すように、経路IIIには、不動作地点である分岐、合流及び急カーブがそれぞれ１地点存在する。経路IIIの総走行距離はＬである。分岐、合流及び急カーブのそれぞれにおける不動作距離は、Ｌ２，Ｌ４及びＬ６である。不動作距離とは、不動作地点付近における自動運転の継続が困難となり得る経路の長さである。現在地から分岐までの動作距離はＬ１であり、分岐と合流との間の動作距離はＬ３であり、合流と急カーブとの間の動作距離はＬ５であり、急カーブから目的地までの動作距離はＬ７である。動作距離とは、自動運転の継続が困難とならない経路の長さである。なお、動作距離は、自動運転が予め設定された距離以上に安定して継続できる距離とし、自動運転が予め設定された距離未満しか継続できない距離は、動作距離から除いてもよい。
【００４５】
継続度演算部１４ａは、経路の総動作距離を経路の総走行距離で除することにより、継続度を演算してもよい。総動作距離とは、経路の動作距離の総和である。例えば、経路IIIについては、継続度は下式（５）で表すことができる。この場合、地図データベース４には、自車両Ｖが走行するための経路及び不動作地点に関する情報として、経路上の総動作距離又は経路上の個々の動作距離、及び経路上の自車両Ｖの総走行距離が記憶されている。継続度演算部１４ａは、地図データベース４を参照しつつ、下式（５）により継続度を演算することができる。
継続度＝（総動作距離）／（総走行距離）
＝（Ｌ１＋Ｌ３＋Ｌ５＋Ｌ７）／Ｌ  …（５）
【００４６】
また、継続度演算部１４ａは、総不動作距離の逆数として継続度を演算してもよい。例えば、経路IIIについては、継続度は下式（６）で表すことができる。この場合、地図データベース４には、自車両Ｖが走行するための経路及び不動作地点に関する情報として、経路上の総不動作距離又は個々の総不動作距離が記憶されている。継続度演算部１４ａは、地図データベース４を参照しつつ、下式（６）により継続度を演算することができる。
継続度＝１／（総不動作距離）
＝１／（Ｌ２＋Ｌ４＋Ｌ６）  …（６）
【００４７】
また、継続度演算部１４ａは、平均動作距離として継続度を演算してもよい。平均動作距離とは、自動運転の継続が困難とならない経路の長さの平均であり、総動作距離を動作距離の区間数で除した値である。例えば、経路IIIについては、継続度は下式（７）で表すことができる。以下、下式（７）等において、平均動作距離はＬ＿ａｖｅで表される。この場合、地図データベース４には、自車両Ｖが走行するための経路及び不動作地点に関する情報として、平均動作距離が記憶されている。また、地図データベース４には、総動作距離又は個々の動作距離、及び動作距離の区間数が記憶されていてもよい。継続度演算部１４ａは、地図データベース４を参照しつつ、下式（７）により継続度を演算することができる。
継続度＝（平均動作距離）＝（総動作距離）／（動作距離の区間数）
＝（Ｌ１＋Ｌ３＋Ｌ５＋Ｌ７）／４＝Ｌ＿ａｖｅ  …（７）
【００４８】
また、継続度演算部１４ａは、平均動作距離を平均動作距離と平均不動作距離との和で除することにより、継続度を演算してもよい。平均不動作距離とは、平均不動作距離とは、自動運転の継続が困難となり得る経路の長さの平均であり、総不動作距離を不動作距離の区間数で除した値である。例えば、経路IIIについては、継続度は下式（８）で表すことができる。この場合、地図データベース４には、自車両Ｖが走行するための経路及び不動作地点に関する情報として、平均動作距離及び平均不動作距離が記憶されている。また、地図データベース４には、平均動作距離、総不動作距離又は個々の不動作距離、及び不動作距離の区間数が記憶されていてもよい。継続度演算部１４ａは、地図データベース４を参照しつつ、下式（８）により継続度を演算することができる。
継続度＝（平均動作距離）／［（平均動作距離）＋（平均不動作距離）］
＝Ｌ＿ａｖｅ／［Ｌ＿ａｖｅ＋｛（Ｌ２＋Ｌ４＋Ｌ６）／３｝］  …（８）
【００４９】
また、継続度演算部１４ａは、経路における動作距離の最大値として継続度を演算してもよい。例えば、経路IIIについては、継続度は、Ｌ５で表すことができる。この場合、地図データベース４には、自車両Ｖが走行するための経路及び不動作地点に関する情報として、経路上の動作距離の最大値が記憶されている。継続度演算部１４ａは、地図データベース４を参照しつつ、経路上の動作距離の最大値を継続度として演算することができる。
【００５０】
なお、上述した総走行距離、動作距離、不動作距離、総動作距離、総不動作距離、平均動作距離及び平均不動作距離のそれぞれは、これらの区間の予想される走行速度（例えば、法定速度等）により、上述した総走行距離、動作距離、不動作距離、総動作距離、総不動作距離、平均動作距離及び平均不動作距離のそれぞれを除すことによって求められる総走行時間、動作時間、不動作時間、総動作時間、総不動作時間、平均動作時間及び平均不動作時間に置き換えてもよい。また、上述した総走行距離、動作距離、不動作距離、総動作距離、総不動作距離、平均動作距離、平均不動作距離、総走行時間、動作時間、不動作時間、総動作時間、総不動作時間、平均動作時間及び平均不動作時間のそれぞれは、必ずしも地図データベース４に記憶されている必要は無い。例えば、地図データベース４には、不動作地点及び経路の位置（緯度、経度等）の情報のみが記憶されており、継続度演算部１４ａは、継続度を演算する際に、不動作地点及び経路の位置に基づいて、上述した上述した総走行距離、動作距離、不動作距離、総動作距離、総不動作距離、平均動作距離、平均不動作距離、総走行時間、動作時間、不動作時間、総動作時間、総不動作時間、平均動作時間及び平均不動作時間のそれぞれを演算してもよい。
【００５１】
次に図５に示すような経路を想定する。図５に示すように、継続度演算部１４ａは、現在地Ｐ０から目的地ＰＤまでの間に中継点ＰＴ１，ＰＴ２を設定してもよい。継続度演算部１４ａは、区間ＳＡ，ＳＢ，ＳＣ，ＳＤ，ＳＥのそれぞれの継続度を演算し、選択し得る経路に該当する区間の継続度を合計してもよい。例えば、図５の例では、区間ＳＡ〜区間ＳＢを通る経路、区間ＳＡ〜区間ＳＣ〜区間ＳＥを通る経路、区間ＳＤ〜区間ＳＥを通る経路、及び区間ＳＤ〜区間ＳＣ〜区間ＳＢを通る経路のそれぞれについて、継続度演算部１４ａは、それぞれの区間の継続度を合計した値を当該経路の継続度として演算してもよい。
【００５２】
図２に戻り、経路選択工程として、ＥＣＵ１０ａの経路選択部１７は、継続度演算部１４ａにより演算された継続度に基づいて、経路探索部１３により探索された経路から、自車両Ｖが走行する経路を選択する（Ｓ１５）。経路選択部１７は、経路探索部１３により探索された経路から、上述したようにして演算された継続度が最も大きい経路を選択する。経路選択部１７は、継続度と、総走行距離、最短総走行距離、総走行時間、最短総走行時間、道路料金、一般道路優先及び高速道路優先等のその他の条件とを組み合わせて経路を選択してもよい。この場合、経路選択部１７は、経路探索部１３により探索された経路の中で、必ずしも継続度が最も大きい経路を選択しなくてもよい。例えば、経路選択部１７は、経路探索部１３により探索された経路の中で、継続度が最も小さい経路を選択してもよい。経路選択部１７は、選択された経路をＨＭＩ７により自車両Ｖの乗員に表示する。なお、経路選択部１７は自車両Ｖが走行する一つの経路を選択するが、例えば、経路探索部１３により探索された経路に予め設定された継続度等の条件を満たす経路が無い場合には、経路選択部１７はＨＭＩ７に選択すべき経路が無い旨を表示してもよい。この場合は、自車両Ｖは、例えば、手動運転により走行することができる。
【００５３】
本実施形態によれば、継続度演算部１４ａにより、経路探索部１３により探索された経路における自動運転の継続度が演算される。また、経路選択部１７により、自動運転の継続度に基づいて、経路探索部１３により探索された経路から、自車両Ｖが走行する経路が選択される。このため、自動運転が継続する度合を経路が選択されるための条件に含めつつ、自動運転で走行する自車両Ｖの経路を選択することができる。
【００５４】
また、本実施形態では、経路選択部１７により、継続度が最も大きい経路が選択される。このため、自動運転が不可能な状況において、自車両Ｖの運転状態が自動運転から手動運転に切り替えられ、自車両Ｖの運転者が手動運転操作を行わなくてはならない事態が発生する頻度を可能な限り減少させることができる。また、仮に、不動作地点で自動運転の継続が困難とならなくとも、自動運転による自車両Ｖの挙動が不安定となることや、自動運転が不安定となる状況である旨をＨＭＩ７により運転者が報知されることにより、運転者が煩わしさや不安を感じる頻度を減少させることができる。
【００５５】
［第２実施形態］
次に、第２実施形態について説明する。本実施形態の説明では、第１実施形態と異なる点について説明する。図６に示すように、本実施形態の自動運転車両用ナビゲーション装置１００ｂは、ＥＣＵ１０ｂに継続度演算部１４ｂを有している点が第１実施形態と異なっている。
【００５６】
自動運転車両用ナビゲーション装置１００ｂは、第１実施形態と同様に、位置推定工程、目的地設定工程、経路探索工程及び経路選択工程を行う。本実施形態では、継続度演算工程において、以下の処理を実行する。継続度演算工程において、継続度演算部１４ｂは、経路探索部１３により探索された経路における自動運転の継続が困難となり得る不動作地点の密集度に基づいて、継続度を演算する。密集度とは、不動作地点が密集している度合を意味する。密集度は、例えば、現在地及び目的地のいずれかから不動作点までの距離等によって表された不動作地点のそれぞれの位置の標準偏差σの逆数により演算することができる。例えば、本実施形態では、継続度は下式（９）で表すことができる。地図データベース４には、自車両Ｖが走行するための経路及び不動作地点に関する情報として、経路上の不動作地点の密集度、例えば不動作地点の位置の標準偏差が記憶されている。継続度演算部１４ａは、地図データベース４を参照しつつ、下式（９）により継続度を演算することができる。
継続度＝（不動作地点の密集度）
＝１／（不動作地点の位置の標準偏差σ）  …（９）
【００５７】
例として図７に示すような経路IV及び経路Vを想定する。経路IV及び経路Vには、急カーブが３地点存在し、不動作地点が３地点存在する。経路IVの総走行距離は２０ｋｍであり、経路Vの総走行距離は３０ｋｍである。上記第１実施形態のように、不動作地点の地点数で経路の総走行距離を除することにより継続度が演算される場合は、継続度は経路Vの方が経路IVよりも大きくなる。しかし、経路IVの方が経路Vよりも不動作地点の密集度が高いため、本実施形態では、継続度は経路IVの方が経路Vよりも大きくなる。本実施形態では、経路選択工程において、経路選択部１７は、継続度が最も大きくなる経路IVを選択する。
【００５８】
自動運転が不可能となる不動作地点では、自動運転から自車両Ｖの運転者による手動運転に切り替えられる。そのため、不動作地点の密集度は、運転者が手動運転を行う時間が連続的であるか間欠的であるかに直接に影響する。本実施形態によれば、継続度演算部１４ｂにより、経路探索部１３により探索された経路における自動運転が不可能となる不動作地点の密集度に基づいて継続度が演算される。このため、運転者が手動運転を行う時間が連続的であるか間欠的であるかに直接に影響する不動作地点の密集度を経路が選択されるための条件に含めつつ、自動運転で走行する自車両Ｖの経路を選択することができる。
【００５９】
本実施形態において、継続率が大きいということは、ある場所に不動作地点が集中していることを意味しており、言い換えると、経路全体において、安定した自動運転が可能である時問が連続的であることを意味する。このような場合、例えば、短い区間に集中して存在する複数の不動作地点を一つの不動作地点と見なすことにより、自車両Ｖの運転者の煩わしさを低減することができる。つまり、自車両Ｖの運転者が手動運転操作を行う準備をする時間帯が、短い一つだけの時間帯となるからである。
【００６０】
一方、本実施形態において、継続率が小さいということは、安定した自動運転が可能である時問が間欠的であることを意味する。このような場合、自車両Ｖが少し走ると、一番目の不動作地点において自動運転による自車両Ｖの挙動が不安定になり、自車両Ｖの運転者が手動運転操作を行う準備をする必要が生じる。また、一番目の不動作地点から自車両Ｖが少し走ると、二番目の不動作地点において自動運転による自車両Ｖの挙動が再度不安定になり、自車両Ｖの運転者が手動運転操作を行う準備をする必要が再度生じる。このような場合は、自車両の運転者は煩わしさを感じる場合がある。そこで、本実施形態では、不動作地点の密集度が高い経路が優先して選択される。
【００６１】
なお、本実施形態においては、継続度演算部１４ｂは、経路探索部１３により探索された経路における自動運転が不可能となる不動作地点の密集度が高いほど、大きな継続度を演算し、経路選択部１７は、継続度が最も小さい経路を選択してもよい。この場合、不動作地点の密集度が最も低い経路が選択されることになる。これにより、例えば、自車両Ｖの運転者が自動運転を過信せず、適度な集中力を保つことが可能となる。
【００６２】
［第３実施形態］
次に、第３実施形態について説明する。本実施形態の説明では、第１実施形態と異なる点について説明する。図８に示すように、本実施形態の自動運転車両用ナビゲーション装置１００ｃは、ＥＣＵ１０ｃに、継続度表示部１５及び入力部１６を有している点が第１実施形態と異なっている。継続度表示部１５は、継続度演算部１４ａにより演算された経路における継続度を自車両Ｖの乗員に表示する。
【００６３】
継続度表示部１５は、例えば、ＨＭＩ７のディスプレイパネル又はタッチパネルに、経路探索部１３により探索された経路のそれぞれを表示し、表示された経路のそれぞれの近傍に当該経路の継続度を数値又は継続度の大きさを示す形状等により表示する。また、継続度表示部１５は、例えば、ＨＭＩ７のタッチパネルに、経路探索部１３により探索された経路のそれぞれを表示し、表示された経路の内の一つが乗員により選択されたときに、選択された経路の近傍に当該経路の継続度を数値又は継続度の大きさを示す形状等で表示したり、ＨＭＩ７のスピーカにより当該経路の継続度を音声出力するようにしてもよい。また、継続度表示部１５は、例えば、ＨＭＩ７のディスプレイパネル又はタッチパネルに、経路探索部１３により探索された経路のそれぞれを表示し、当該経路のそれぞれの継続度を当該経路の表示の形状、模様、輝度、色彩等により表示してもよい。
【００６４】
入力部１６は、自車両Ｖの乗員からの指令を入力される。入力部１６は、自車両Ｖの乗員からの指令を、例えばＨＭＩ７のディスプレイパネル又はタッチパネルに対する乗員による入力操作や、ＨＭＩ７のマイクロフォンに対する音声入力により入力されることができる。入力部１６に入力される乗員からの指令は、経路探索部１３により探索された経路の内の一つの経路を選択する指令である。また、入力部１６に入力される乗員からの指令は、経路探索部１３により探索された経路の内の複数の経路を選択する指令でもよい。また、入力部１６に入力される乗員からの指令は、経路探索部１３により探索された経路の内の単数又は複数の経路を選択するための継続度、総走行距離、総走行時間及び道路料金等の下限値又は上限値等の条件であってもよい。経路を選択する条件には、最短総走行距離、最短総走行時間、一般道路優先及び高速道路優先等の条件であってもよい。経路を選択するための条件が複数ある場合には、入力部１６に入力される乗員からの指令は、当該条件の優先順位が含まれていてもよい。
【００６５】
次に、自動運転車両用ナビゲーション装置１００ｃで実行される処理について、図２のフローチャートを参照しつつ具体的に説明する。図９に示すように、第１実施形態と同様の位置推定工程（Ｓ２１）、目的地設定工程（Ｓ２２）、経路探索工程（Ｓ２３）及び継続度演算工程（Ｓ２４）が自動運転車両用ナビゲーション装置１００ｃにより実行される。継続度表示工程として、継続度表示部１５は、継続度演算部１４ａにより演算された経路における継続度を自車両Ｖの乗員に表示する（Ｓ２５）。入力受信工程として、入力部１６は、自車両Ｖの乗員からの指令を入力される（Ｓ２６）。なお、入力受信工程として、入力部１６は、継続度演算部１４ａが継続度を演算する前に、予め、自車両Ｖの乗員から、上述した経路を選択するための条件等の指令を入力されてもよい。
【００６６】
経路選択工程として、経路選択部１７は、入力部１６に入力された指令に基づいて、経路探索部１３により探索された経路から、自車両Ｖが走行する経路を選択する（Ｓ２７）。例えば、入力部１６が継続度が最も大きい経路を選択する旨の指令を入力されていた場合は、経路選択部１７は、経路探索部１３により探索された経路から継続度が最も大きい経路を選択する。また、例えば、入力部１６が継続度が最も小さい経路を選択する旨の指令を入力されていた場合は、経路選択部１７は、経路探索部１３により探索された経路から継続度が最も小さい経路を選択する。また、経路探索部１３により探索された経路に、乗員からの指令を満たす経路が複数存在する場合は、経路選択部１７は、乗員からの指令を満たす経路から自車両Ｖが走行する一つの経路を選択する。その他は、第１実施形態と同様である。
【００６７】
本実施形態によれば、継続度表示部１５により、継続度演算部１４ａにより演算された経路における継続度が自車両Ｖの乗員に表示され、入力部１６は自車両Ｖの乗員からの指令を入力される。これにより、乗員は、継続度を考慮に入れつつ、指令を入力することができる。また、経路選択部１７により、入力部１６に入力された指令に基づいて、経路探索部１３により探索された経路から、自車両Ｖが走行する経路が選択される。これにより、継続度を考慮に入れた乗員の指令を経路が選択されるための条件に含めつつ、自動運転で走行する自車両Ｖの経路を選択することができる。
【００６８】
［第４実施形態］
次に、第４実施形態について説明する。本実施形態の説明では、第３実施形態と異なる点について説明する。図１０に示すように、本実施形態の自動運転車両用ナビゲーション装置１００ｄは、ＥＣＵ１０ｄに、第２実施形態と同じ継続度演算部１４ｂを有している点が第３実施形態と異なっている。自動運転車両用ナビゲーション装置１００ｄは、第３実施形態と同様の位置推定工程、目的地設定工程、経路探索工程、継続度表示工程、入力受信工程及び経路選択工程を実行する。継続度演算工程において、ＥＣＵ１０ｄの継続度演算部１４ｂは、第２実施形態と同様に、継続度演算工程を実行する。その他は、第３実施形態と同様である。本実施形態の自動運転車両用ナビゲーション装置１００ｄは、第２実施形態及び第３実施形態の両方の効果を奏する。
【００６９】
［第５実施形態］
次に、第５実施形態について説明する。本実施形態の説明では、第１実施形態と異なる点について説明する。図１１に示すように、本実施形態の自動運転車両用ナビゲーション装置１００ｅは、通信部８を備える。また、自動運転車両用ナビゲーション装置１００ｅは、ＥＣＵ１０ｅに継続度演算部１４ｃを有している。
【００７０】
通信部８は、道路に設置された施設や情報処理センター等から無線通信を介して情報を受信する。通信部８が受信する情報には、例えば、落下物、故障者、事故、天候不良、工事及び地図データベース４のデータを作成した日時以降の工事等の経路上の位置が含まれる。経路上の落下物等は不動作地点となり得る。地図データベース４のデータを作成した日時以降の工事が行われた位置は、地図データベース４に記憶されたデータとは、実際の道路の形状が異なっている可能性があり、不動作地点となり得る。また、通信部８が受信する情報には、例えば、道路の車線等の区画線（白線、黄線等）の擦れが生じた地点、通勤時間帯等における予め設定された交通量よりも交通量が増加した地点及び予め設定された数よりも歩行者数が多い地点等の位置が含まれる。通信部８は、ナビゲーションシステム５に含まれていてもよい。また、地図データベース４は、通信部８が受信した情報に応じて、地図データベース４に記憶された情報を更新してもよい。
【００７１】
継続度演算部１４ｃは、通信部８により受信された情報に係る位置を不動作地点として、第１実施形態と同様に継続度を演算する。その他は、第１実施形態と同様である。
【００７２】
本実施形態によれば、経路探索部１３により探索された経路上に、地図データベース４に含まれていない落下物等の不動作地点となり得る状況が存在している場合においても、継続度演算部１４ｃは当該状況に応じて継続度を演算することができる。なお、本実施形態は、上記第２実施形態〜第４実施形態と組み合わせて実施することができる。
【００７３】
［第６実施形態］
次に、第６実施形態について説明する。本実施形態の説明では、第１実施形態と異なる点について説明する。図１２に示すように、本実施形態の自動運転車両用ナビゲーション装置１００ｆは、ドライバセンサ９を備える。また、自動運転車両用ナビゲーション装置１００ｆは、ＥＣＵ１０ｆに継続度演算部１４ｄを有している。ドライバセンサ９は、第１実施形態の内部センサ３の構成に加えて、ステアリングセンサ、アクセルペダルセンサ及びブレーキペダルセンサの少なくともいずれかを含む。
【００７４】
ステアリングセンサは、例えば自車両Ｖの運転者によるステアリングホイールに対する操舵操作の操作量を検出する検出器である。ステアリングセンサは、例えば、自車両Ｖのステアリングシャフトに対して設けられる。また、ステアリングセンサは、自車両Ｖの運転者がステアリングホイールを把持しているか否かや、運転者によるステアリングホイールの把持力を検出するセンサであってもよい。
【００７５】
アクセルペダルセンサは、例えばアクセルペダルの踏込み量を検出する検出器である。アクセルペダルの踏込み量は、例えば所定位置を基準としたアクセルペダルの位置（ペダル位置）である。所定位置は、定位置であってもよいし、所定のパラメータによって変更された位置であってもよい。アクセルペダルセンサは、例えば自車両Ｖのアクセルペダルのシャフト部分に対して設けられる。
【００７６】
ブレーキペダルセンサは、例えばブレーキペダルの踏込み量を検出する検出器である。ブレーキペダルの踏込み量は、例えば所定位置を基準としたブレーキペダルの位置（ペダル位置）である。所定位置は、定位置であってもよいし、所定のパラメータによって変更された位置であってもよい。ブレーキペダルセンサは、例えばブレーキペダルの部分に対して設けられる。ブレーキペダルセンサは、ブレーキペダルの操作力（ブレーキペダルに対する踏力やマスタシリンダの圧力など）を検出してもよい。ステアリングセンサ、アクセルペダルセンサ及びブレーキペダルセンサは、検出した情報をＥＣＵ１０ｆに出力する。
【００７７】
なお、ドライバセンサ９は、自車両Ｖの運転者の姿勢の変化、脈拍及び脳波等を検出するセンサを有していてもよい。
【００７８】
継続度演算部１４ｄは、ドライバセンサ９が検出した自車両Ｖの運転者の操舵操作の操作量や姿勢の変化量等が予め設定された値以上となった回数が、予め設定された回数以上となった位置を、地図データベース４に第１実施形態と同様の不動作点として記憶させる。なお、継続度演算部１４ｄは、例えば、他車両の運転者による操舵操作の操作量等が予め設定された値以上となった回数が予め設定された回数以上となった位置を無線通信等により受信し、地図データベース４に不動作地点として記憶させてもよい。また、制御部１９は、自車両Ｖを自動運転により走行させているときに、ドライバセンサ９が検出した操舵操作の操作量等が予め設定された値以上となった場合は、自動運転を手動運転に切り替えてもよい。
【００７９】
継続度演算部１４ｄは、ドライバセンサ９が検出した自車両Ｖの運転者の操舵操作の操作量等が予め設定された値以上となった回数が予め設定された回数以上となった位置を不動作地点として、第１実施形態と同様に継続度を演算する。その他は、第１実施形態と同様である。
【００８０】
本実施形態によれば、自車両Ｖの運転者が手動運転操作を行う準備をする必要が実際に生じた位置とその頻度とに基づいて、継続度が演算される。そのため、より現実の経路の状況に応じた継続度を演算することができる。なお、本実施形態は、上記第２実施形態〜第５実施形態と組み合わせて実施することができる。
【００８１】
以上、本発明の実施形態について説明したが、本発明は上記実施形態に限定されることなく様々な形態で実施される。例えば、上記実施形態において、ＥＣＵ１０ａ〜１０ｆの各機能の一部は、自車両Ｖと通信可能な情報処理センター等の施設のコンピュータにおいて実行されてもよい。
【符号の説明】
【００８２】
１…外部センサ、２…ＧＰＳ受信部、３…内部センサ、４…地図データベース、５…ナビゲーションシステム、６…アクチュエータ、７…ＨＭＩ、８…通信部、９…ドライバセンサ、１０ａ，１０ｂ，１０ｃ，１０ｄ，１０ｅ，１０ｆ…ＥＣＵ、１１…位置推定部、１２…目的地設定部、１３…経路探索部、１４ａ，１４ｂ，１４ｃ，１４ｄ…継続度演算部、１５…継続度表示部、１６…入力部、１７…経路選択部、１８…走行計画生成部、１９…制御部、１００ａ，１００ｂ，１００ｃ，１００ｄ，１００ｅ，１００ｆ…自動運転車両用ナビゲーション装置、Ｖ…自車両、Ｕ…補助機器、Ｐ０…現在地、ＰＤ…目的地、ＰＴ１，ＰＴ２…中継点、ＳＡ，ＳＢ，ＳＣ，ＳＤ，ＳＥ…区間。
【図１】
0006380274.tif 000002
【図２】
0006380274.tif 000003
【図３】
0006380274.tif 000004
【図４】
0006380274.tif 000005
【図５】
0006380274.tif 000006
【図６】
0006380274.tif 000007
【図７】
0006380274.tif 000008
【図８】
0006380274.tif 000009
【図９】
0006380274.tif 000010
【図１０】
0006380274.tif 000011
【図１１】
0006380274.tif 000012
【図１２】
0006380274.tif 000013